(57)【要約】【課題】結像光学系の物体側にアフォーカル光学系を配置し、物体距離が無限遠から極至近まで変化してもアフォーカル光学系に専用のフォーカス機構を使用せずに撮影を可能な撮像装置を提供する。【解決手段】カメラは、結像光学系ＭＬと、結像光学系の物体側に配置されて撮影画角を広角に変化させるアフォーカル光学系ＡＴと、結像光学系の焦点調節手段と、を有する。アフォーカル光学系は、正の屈折力を有する対物光学系Ｌと正の屈折力を有する補正レンズ群Ｈを有する。結像光学系からの至近距離をＭ０、物体距離が無限遠からアフォーカル光学系の最も物体側のレンズ面位置まで変化した場合の状態での結像位置の変化量をΔＸ、補正レンズ群の焦点距離をＦｈ、結像光学系から補正レンズ群Ｈの最も物体側のレンズ面までの光軸上の距離をＤとすると、Ｄ＋ Ｆｈ・(Ｆｈ−ΔＸ)／ΔＸ ≧ Ｍ０＞０（ΔＸ＞０、単位は全てｍｍ）を満たす。【選択図】図１
2011017984.tif 000002
【特許請求の範囲】
【請求項１】
結像光学系と、当該結像光学系の物体側に配置されて撮影画角を広角に変化させるアフォーカル光学系と、を有し、被写体像を形成する撮影光学系と、
前記結像光学系のレンズ群を光軸方向に移動して焦点調節を行なう焦点調節手段と、
を有し、
前記アフォーカル光学系は、物体側に全体として正の屈折力を有する対物光学系と、前記対物光学系よりも前記結像光学系に近い正の屈折力を有する補正レンズ群と、を有し、
前記結像光学系の最も物体側のレンズ面からの前記焦点調節手段で焦点調節が可能な至近距離をＭ０、物体距離が無限遠から前記アフォーカル光学系の最も物体側のレンズ面位置まで変化した場合の前記アフォーカル光学系の結像位置の変化量をΔＸ、前記補正レンズ群の焦点距離をＦｈ、前記結像光学系の最も物体側のレンズ面から前記補正レンズ群の最も物体側のレンズ面までの光軸上の距離をＤとすると、
Ｄ＋ Ｆｈ・(Ｆｈ−ΔＸ)／ΔＸ ≧ Ｍ０＞０
（但し、ΔＸ＞０、単位は全てｍｍ）
を満たすことを特徴とする撮像装置。
【請求項２】
前記アフォーカル光学系は前記結像光学系に着脱可能に構成されていることを特徴とする請求項１に記載の撮像装置。  
【請求項３】
前記アフォーカル光学系は、前記対物光学系と前記補正レンズ群との間に、正の屈折力を有するフィールドレンズ群を更に有することを特徴とする請求項１又は２に記載の撮像装置。
【請求項４】
前記フィールドレンズ群は、物体側から順に、物体側に凸形状を有する正レンズと、空気間隔を挟んで物体側に凹形状を有する負レンズで構成されることを特徴とする請求項３に記載の撮像装置。
【請求項５】
前記対物光学系は、負の屈折力を有する前レンズ群と、正の屈折力を有する後レンズ群と、を有することを特徴とする請求項４に記載の撮像装置。
【発明の詳細な説明】
【技術分野】
【０００１】
本発明は、撮像装置に関する。
【背景技術】
【０００２】
特許文献１〜３は、レンズ外径を大型化せずに超広角な撮影画角を得るために、２回結像を行なう撮影光学系を有する撮像装置を提案している。
【先行技術文献】
【特許文献】
【０００３】
【特許文献１】特開平０８−５４５６１号公報
【特許文献２】特開２００５−１２８２８６号公報
【特許文献３】特開平０９−１０５８５８号公報
【発明の概要】
【発明が解決しようとする課題】
【０００４】
しかしながら、従来は、２回結像を行なう撮影光学系を有する撮像装置において、物体距離が無限から超至近まで撮影可能な提案はされていなかった。ここで、２回結像を行なう撮影光学系は、結像光学系の物体側に、平行光線を一回結像を行った後に略平行光線を射出するアフォーカル光学系を着脱可能に取り付けるものも含む。
【０００５】
本発明は、結像光学系の物体側にアフォーカル光学系を配置し、物体距離が無限遠から極至近まで変化してもアフォーカル光学系に専用のフォーカス機構を使用せずに撮影を可能な撮像装置を提供することを例示的な目的とする。
【課題を解決するための手段】
【０００６】
本発明の一側面としての撮像装置は、結像光学系と、当該結像光学系の物体側に配置されて撮影画角を広角に変化させるアフォーカル光学系と、を有する撮影光学系と、前記結像光学系のレンズ群を光軸方向に移動して焦点調節を行なう焦点調節手段と、を有し、前記アフォーカル光学系は、物体側に全体として正の屈折力を有する対物光学系と、前記対物光学系よりも前記結像光学系に近い正の屈折力を有する補正レンズ群と、を有し、前記結像光学系の最も物体側のレンズ面からの前記焦点調節手段で焦点調節が可能な至近距離をＭ０、物体距離が無限遠から前記アフォーカル光学系の最も物体側のレンズ面位置まで変化した場合の前記アフォーカル光学系の結像位置の変化量をΔＸ、前記補正レンズ群の焦点距離をＦｈ、前記結像光学系の最も物体側のレンズ面から前記補正レンズ群の最も物体側のレンズ面までの光軸上の距離をＤとすると、Ｄ＋ Ｆｈ・(Ｆｈ−ΔＸ)／ΔＸ ≧ Ｍ０＞０（但し、ΔＸ＞０、単位は全てｍｍ）を満たすことを特徴とする。
【発明の効果】
【０００７】
本発明は、２回結像を行なう撮影光学系において物体距離が無限遠から極至近まで変化しても撮影が行なえるフォーカス機構を提案することができる。また、本発明は、撮影光学系の物体側にアフォーカル光学系を配置可能で、物体距離が無限遠から極至近まで変化してもアフォーカル光学系に専用のフォーカス機構を使用せずに撮影が可能な撮像装置を提供することができる。
【図面の簡単な説明】
【０００８】
【図１】本実施例の撮像装置（光学装置）の光路図である。
【図２】図１の部分拡大図である。
【図３】数値実施例１の撮像装置の物体位置が無限の場合と至近の場合の光路図である。
【図４】数値実施例１の物体距離が無限状態の収差図である。
【図５】数値実施例１の物体距離が至近状態の収差図である。
【図６】数値実施例２の撮像装置の物体位置が無限の場合と至近の場合の光路図である。
【図７】数値実施例２の物体距離が無限状態の収差図である。
【図８】数値実施例２の物体距離が至近状態の収差図である。
【図９】数値実施例１の結像光学系のズーム位置が広角端、中間、望遠端の光路図である。
【図１０】数値実施例１の結像光学系の広角端における収差図である。
【図１１】数値実施例１の結像光学系の中間焦点位置における収差図である。
【図１２】数値実施例１の結像光学系の望遠端における収差図である。
【図１３】数値実施例２の結像光学系のズーム位置が広角端、中間、望遠端の光路図である。
【図１４】数値実施例２の結像光学系の広角端における収差図である。
【図１５】数値実施例２の結像光学系の中間焦点位置における収差図である。
【図１６】数値実施例２の結像光学系の望遠端における収差図である。
【発明を実施するための形態】
【０００９】
本実施例は、デジタルコンパクトカメラ（撮像装置又は光学装置）に本来備わっていてそれ自身で撮影光学系として機能する結像光学系の物体側にアフォーカル光学系を配置し、結像光学系とアフォーカル光学系からなる撮影光学系を構成している。これにより、本実施例は、全体として２回結像を行なって被写体像を形成する撮影光学系を実現している。アフォーカル光学系は、撮影画角を広角に変化させ、２回結像を行なう撮影光学系により、レンズ外形を大型にせずに超広角な撮影画角を得ることができる。
【００１０】
更に、撮像装置は、結像光学系のレンズ群を光軸方向に移動して焦点調節を行なう焦点調節手段（フォーカス機能）を本来備えている。そして、アフォーカル光学系は、その焦点調節手段を使用して無限遠方からアフォーカル光学系の最も物体側のレンズ面位置近傍の極至近まで物体距離が変化しても合焦が可能になる。アフォーカル光学系は専用のフォーカス機構（レンズ群の移動機構）を必要としないので撮像装置を小型にすることができる。
【００１１】
なお、アフォーカル光学系は結像光学系に着脱可能なアタッチメント光学系として構成する以外に、結像光学系と一体に構成されてもよい。
【００１２】
図１は、アフォーカル光学系（光学装置）ＡＴが結像光学系ＭＬの物体側に装着されたデジタルカメラ（撮像装置）の光路図であり、図２は図１の部分拡大図である。図１において、ＩＰは結像光学系ＭＬの結像面である。結像光学系ＭＬは、カメラに本来備わっている撮影光学系であり、高変倍光学系である。
【００１３】
本実施例のデジタルカメラ（撮像装置）は、結像光学系ＭＬの物体側にアフォーカル光学系ＡＴを収納したアタッチメント光学装置を交換可能に（例えば、ネジにより）固定している。なお、２回結像時には画像が倒立像となるためカメラ側の電子表示装置に画像を正立させるための電気的な機構を取り入れている。
【００１４】
アフォーカル光学系ＡＴは、物体側から順に、対物光学系Ｌ、フィールドレンズ群Ｆ及び補正レンズ群Ｈを有する。対物光学系Ｌは全体が正の屈折力を有する。フィールドレンズ群Ｆは、必須ではないが対物光学系Ｌの結像位置近傍に配置され、正の屈折力を有して軸外光線を偏向して結像光学系ＭＬに導光する。補正レンズ群Ｈは、軸上光線を略平行光線としてアフォーカル光学系ＡＴから射出し、正の屈折力を有する。補正レンズ群Ｈは、対物光学系Ｌよりも結像光学系ＭＬに近い。
【００１５】
ΔＸは、物体距離が無限状態と０ｍｍ状態（最も物体側のレンズ面位置状態）でのアフォーカル光学系ＡＴ内での結像位置の変化量（変化距離）である。Ｍ０は、結像光学系ＭＬにおいて、その焦点調節手段で焦点調節が可能な至近距離を結像光学系ＭＬの最も物体側のレンズ面からの光軸上の距離で表したものである。Ｄは、結像光学系ＭＬの最も物体側のレンズ面から補正レンズ群Ｈの最も物体側のレンズ面までの光軸上の距離である。Ｍは距離Ｍ０から距離Ｄを差し引いた距離である。Ｆｈは、補正レンズ群Ｈの焦点距離である。
【００１６】
図１から次式が成立する。
【００１７】
【数１】
2011017984.tif 000003
【００１８】
今、物体距離が無限遠方から極至近状態に変化して対物光学系Ｌが１回目の結像を行なう場合の結像位置の変化を考える。物体距離が無限である場合、補正レンズ群Ｈから結像光学系ＭＬに射出される光線は略平行光線であるため、１回目の結像位置は補正レンズ群Ｈから、その焦点距離Ｆｈに近似した距離に対応する位置である。
【００１９】
次に、結像光学系ＭＬが撮影可能な至近距離Ｍの位置からの光線と補正レンズ群Ｈを介しての撮影可能な物体距離Ａ（対物光学系（Ｌ）による１回目の結像位置）からの光線は、図２に示す関係になっている。補正レンズ群Ｈの焦点距離はＦｈであるため、ニュートンの結像公式から次式が成立する。
【００２０】
【数２】
2011017984.tif 000004
【００２１】
この式を変形すると次式が成立する。
【００２２】
【数３】
2011017984.tif 000005
【００２３】
数式１と数式３から次式が成立する。
【００２４】
【数４】
2011017984.tif 000006
【００２５】
この式を変形すると次式が成立する。
【００２６】
【数５】
2011017984.tif 000007
【００２７】
ここで、Ｍ０ ＝ Ｍ＋Ｄ より、次式が成立する。
【００２８】
【数６】
2011017984.tif 000008
【００２９】
数式６は、更に至近側に条件が拡大するのは問題がなくまた至近距離が結像光学系内の距離になってしまうことはないので次式が成立する。
【００３０】
【数７】
2011017984.tif 000009
【００３１】
数式７を満たせば、アフォーカル光学系ＡＴは、一般撮影が可能な結像光学系ＭＬに着脱し、結像光学系ＭＬの焦点調節手段を用いることで、無限遠方から極至近に物体距離が変化しても合焦が可能になる。
【００３２】
好ましくは、対物光学系は、物体側から順に互いに像側のレンズ面が強い凹面である２枚の負レンズで構成された負の屈折力を有した前レンズ群を有し、各レンズ面の曲率を弱めて非点収差の発生を低減する。また、対物光学系は、物体側から順に空気間隔を挟んで正レンズ負レンズが接合された全体が正の屈折力である接合レンズと凸レンズで構成された正の屈折力を有した後レンズ群を有する。
【００３３】
また、フィールドレンズ群は、物体側から順に物体側に凸形状を有した正レンズと空気間隔を挟んで物体側に凹形状を有した負レンズを有する。正レンズにより、入射光線の偏向作用を行なった後に、その像側の負レンズが球面収差の補正を行なう。その結果、フィールドレンズ群から射出される光線は近平行光となり、その後リレーレンズ群を介して再結像される像の周辺ケラレを防止することができる。
【００３４】
補正レンズ群は色収差の発生を押えるために正レンズと負レンズを組み合わせたダブレットを有することが好ましい。
【００３５】
数値実施例１は、アフォーカル光学系ＡＴを２群移動方式の至近撮影距離が５０ｍｍの結像光学系ＭＬに装着した例である。数値実施例２は、本実施例のアフォーカル光学系ＡＴを４群移動方式の至近撮影距離が６００ｍｍの結像光学系ＭＬに装着した例である。表１は、数値実施例１及び２の各アフォーカル光学系において、数式７及びそれを構成する各変数の値を示したものである。
【００３６】
各数値実施例においてＲｉは物体側から順に第ｉ番目のレンズ厚及び空気間隔、Ｎｉとνｉは各々物体側から順に第ｉ番目に配置されるレンズのガラスの屈折率とアッベ数である。非球面係数Ｋ，Ａ，Ｂ，Ｃ，Ｄは次式で非球面形状を与える。但し、Ｘはレンズ頂点光軸から方向への変位量、Ｈは光軸からの距離、Ｒは曲率半径である。
【００３７】
【数８】
2011017984.tif 000010
【００３８】
（数値実施例１）
f= 1.12 〜2.64  Fno= 3.28〜5.45 
(17〜27面のf= 5.94〜14.04  Fno= 3.28〜5.59  2ω=62.0°〜28.5)
R 1=    8.777   D 1=  0.80    N 1= 1.69680   ν 1= 55.5 
R 2=    1.626   D 2=  1.50 
R 3=   -7.672   D 3=  0.80    N 2= 1.77250   ν 2= 49.6 
R 4=   41.895   D 4=  2.22 
R 5=   -9.279   D 5=  1.50    N 3= 1.48749   ν 3= 70.2 
R 6=   -1.320   D 6=  0.50    N 4= 1.84666   ν 4= 23.9 
R 7=   -2.099   D 7=  0.15 
R 8=   65.826   D 8=  1.40    N 5= 1.48749   ν 5= 70.2 
R 9=   -5.208   D 9=  7.97 
R10=    5.205   D10=  3.80    N 6= 1.60311   ν 6= 60.6 
R11=   -3.578   D11=  0.50    N 7= 1.84666   ν 7= 23.9 
R12=  -25.426   D12=  9.19 
R13=   10.191   D13=  0.80    N 8= 1.84666   ν 8= 23.9 
R14=    8.137   D14=  0.25 
R15=   20.868   D15=  1.80    N 9= 1.77250   ν 9= 49.6 
R16=  -10.161   D16=  可変 
* R17=   89.080   D17=  1.00    N10= 1.85300   ν10= 41.0 
* R18=    3.651   D18=  1.15 
R19=    6.879   D19=  1.50    N11= 2.00330   ν11= 28.3 
R20=   22.911   D20=  可変 
* R21=    3.146   D21=  2.30    N12= 1.48749   ν12= 70.2 
R22=  -11.076   D22=  0.20 
R23=   16.212   D23=  0.90    N13= 1.82114   ν13= 24.1 
* R24=    5.301   D24=  0.70 
R25=    絞り    D25=  可変 
R26=     ∞     D26=  1.70    N14= 1.51633   ν14= 64.1 
R27=     ∞    
焦点距離    1.12       1.59       2.64
(17〜27面の焦点距離         5.94       8.45      14.04)
可変間隔-----------------------------------------
D16         2.00       4.13       3.74 
D20         9.14       5.15       1.40 
D25         6.65       8.51      12.65 
非球面係数 
第17面 : K= 0.00000e+000  A= 0.00000e+000  B=-4.60564e-004 
C= 2.14338e-005  D= 1.63593e-007  E=-1.78694e-008 
第18面 : K=-1.33788e+000  A= 0.00000e+000  B= 9.90444e-004 
C= 3.01472e-005  D= 1.78011e-006  E=-1.14335e-007 
第21面 : K= 6.76779e-002  A= 0.00000e+000  B=-1.95399e-003 
C=-1.47877e-004  D=-1.22905e-005  E=-3.07398e-006 
第24面 : K=-1.39106e-001  A= 0.00000e+000  B= 5.46066e-003 
C= 9.85838e-004  D=-4.10843e-005  E= 1.79299e-005
図３は、数値実施例１において、第１７〜２７面で表される結像光学系ＭＬの物体側に第１〜１６面で表されるアフォーカル光学系ＡＴを装着した撮像装置の光路図である。アフォーカル光学系ＡＴは、物体側から順に、対物光学系Ｌ、フィールドレンズ群Ｆ及び補正レンズ群Ｈを有する。対物光学系Ｌは、負の屈折力の前レンズ群Ｂ１と正の屈折力の後レンズ群Ｂ２から構成され、全体として正の屈折力を有する。フィールドレンズ群Ｆは、対物光学系Ｌの結像位置近傍に配置されて正の屈折力を有する。補正レンズ群Ｈは、正の屈折力を有し、対物光学系Ｌが結像する空中像を結像光学系ＭＬの結像面ＩＰの位置に焦点を合わせる機能を有する。ＳＰは虹彩絞り、ＦＩＬは赤外カットやローパス等のフィルタ類、ＩＰは結像面、Ｆｏｃｕｓは焦点調節手段を示している。
【００３９】
図３は、結像光学系ＭＬの変倍位置が望遠端状態においての物体距離が無限状態と０ｍｍである至近状態での光路図を示している。図４は数値実施例１の物体距離が無限状態の収差図であり、図５は数値実施例１の物体距離が至近状態の収差図であり、良好な光学特性を有している。
【００４０】
結像光学系ＭＬは変倍光学系であり、その広角端、中間、望遠端の焦点距離域の光路図を図９、各変倍域での収差図を図１０、図１１、図１２に示す。これらの図に示すように、結像光学系ＭＬは、単体で良好な画質の一般撮影が可能である。結像光学系ＭＬは、物体側から順に、負レンズ群ＭＢ１と正レンズ群ＭＢ２からなる２群構成を有する。結像光学系ＭＬは、負レンズ群ＭＢ１と正レンズ群ＭＢ２の相対的な間隔変化と共に結像面ＩＰからの位置を変化させることで変倍中も焦点移動を起さない変倍構造を有し、フォーカス作用はレンズ群ＭＢ１を光軸方向に移動させることで行なう。
（数値実施例２）
f= 0.80〜3.75  Fno= 2.88〜4.90 
(18〜36面のf= 7.62〜35.53  Fno= 2.88〜4.90  2ω=63.3°〜15.1°)
R 1=   15.439   D 1=  1.20    N 1= 1.77250   ν 1= 49.6 
R 2=    8.892   D 2=  3.93 
R 3=   45.734   D 3=  1.20    N 2= 1.69680   ν 2= 55.5 
R 4=    6.469   D 4= 16.78 
R 5=  -42.355   D 5=  4.17    N 3= 1.48749   ν 3= 70.2 
R 6=   -6.265   D 6=  0.80    N 4= 1.84666   ν 4= 23.9 
R 7=   -9.462   D 7=  0.20 
R 8=   49.361   D 8=  2.50    N 5= 1.48749   ν 5= 70.2 
R 9=  -19.515   D 9= 26.66 
R10=   21.284   D10=  5.50    N 6= 1.60311   ν 6= 60.6 
R11=  -70.473   D11=  1.93 
R12=  -18.401   D12=  1.40    N 7= 1.77250   ν 7= 49.6 
R13=  -35.756   D13= 70.04 
R14=   46.332   D14=  1.50    N 8= 1.84666   ν 8= 23.9 
R15=   42.173   D15=  1.01 
R16=  132.191   D16=  3.00    N 9= 1.69680   ν 9= 55.5 
R17=  -64.052   D17=  可変 
R18=   25.758   D18=  0.97    N10= 1.84666   ν10= 23.9 
R19=   18.488   D19=  3.45    N11= 1.69680   ν11= 55.5 
R20=  206.825   D20=  可変 
R21=   28.479   D21=  0.70    N12= 1.88300   ν12= 40.8 
R22=    6.693   D22=  3.41 
R23=  -21.529   D23=  0.65    N13= 1.69680   ν13= 55.5 
R24=   20.660   D24=  0.65 
R25=   14.781   D25=  1.94    N14= 1.84666   ν14= 23.9 
R26= -990.152   D26=  可変 
R27=    絞り    D27=  0.86 
* R28=    7.941   D28=  2.48    N15= 1.58313   ν15= 59.4 
* R29=  -24.952   D29=  0.22 
R30=    5.513   D30=  1.72    N16= 1.48749   ν16= 70.2 
R31=   10.653   D31=  0.86    N17= 1.84666   ν17= 23.9 
R32=    4.204   D32=  可変 
R33=   10.934   D33=  2.15    N18= 1.58313   ν18= 59.4 
R34=   53.668   D34=  可変 
R35=     ∞     D35=  2.15    N19= 1.51633   ν19= 64.1 
R36=     ∞    
焦点距離    0.80      2.11      3.75
(18〜36面の焦点距離        7.62     19.99     35.53)
可変間隔----------------------------------
D17        22.14     12.03      5.00 
D20         0.43     13.80     17.54 
D26        14.03      5.42      2.01 
D32         7.75     12.08     20.61 
D34         2.15      3.19      1.35 
非球面係数 
第28面 : K=-2.51604e-001  A= 0.00000e+000  B=-9.78818e-005 
C= 2.38159e-006  D= 2.80967e-007  E= 0.00000e+000 
第29面 : K= 9.03719e+000  A= 0.00000e+000  B= 2.77596e-004 
C= 4.38159e-006  D= 3.26865e-007  E= 0.00000e+000
図６は、数値実施例２において、第１８〜３６面で表される結像光学系ＭＬの物体側に第１〜１７面で表されるアフォーカル光学系ＡＴを装着した撮像装置の光路図である。アフォーカル光学系ＡＴの構成は数値実施例１と同様である。ＳＰなどの符号も図３と同様である。
【００４１】
図６は、結像光学系ＭＬの変倍位置が望遠端状態においての物体距離が無限状態と０ｍｍである至近状態での光路図を示している。図７は数値実施例２の物体距離が無限状態の収差図であり、図８は数値実施例２の物体距離が至近状態の収差図であり、良好な光学特性を有している。
【００４２】
結像光学系ＭＬは変倍光学系であり、その広角端、中間、望遠端の焦点距離域の光路図を図１３、各変倍域での収差図を図１４、図１５、図１６に示す。これらの図に示すように、結像光学系ＭＬは、単体で良好な画質の一般撮影が可能である。結像光学系ＭＬは、物体側から順に、正レンズ群ＭＢ１、負レンズ群ＭＢ２、正レンズ群ＭＢ３、正レンズ群ＭＢ４からなる４群構成を有する。結像光学系ＭＬは、各レンズ群間隔を変化させて変倍作用を行なうと同時に結像面の位置変化がないように各レンズ群移動を行なう。また、結像光学系ＭＬは、図６のレンズ群ＭＢ４を光軸方向に移動させることでフォーカス作用を行なう。
【００４３】
数式７の条件を満たせば、どの変倍域においても無限遠方から０ｍｍ近傍の極至近までの物体距離変化に対して撮影が行なえる。
【００４４】
【表１】
2011017984.tif 000011
【００４５】
以上、本実施例によれば、アフォーカル光学系ＡＴに特別な焦点調節手段を用いなくとも、結像光学系ＭＬの焦点調節手段を用いて無限遠方から極至近まで物体距離が変化しても合焦が可能になる。
【産業上の利用可能性】
【００４６】
撮像装置は、被写体の撮像に適用することができる。
【符号の説明】
【００４７】
ＡＴ          アフォーカル光学系
Ｌ            対物光学系
Ｂ１          前レンズ群
Ｂ２          後レンズ群
Ｆ            フィールドレンズ群
Ｈ            補正レンズ群
ＭＬ          結像光学系
Ｆｏｃｕｓ    焦点調節手段
【図１】
2011017984.tif 000012
【図２】
2011017984.tif 000013
【図３】
2011017984.tif 000014
【図４】
2011017984.tif 000015
【図５】
2011017984.tif 000016
【図６】
2011017984.tif 000017
【図７】
2011017984.tif 000018
【図８】
2011017984.tif 000019
【図９】
2011017984.tif 000020
【図１０】
2011017984.tif 000021
【図１１】
2011017984.tif 000022
【図１２】
2011017984.tif 000023
【図１３】
2011017984.tif 000024
【図１４】
2011017984.tif 000025
【図１５】
2011017984.tif 000026
【図１６】
2011017984.tif 000027